(57)【要約】  【課題】  使用者が排泄の度に複雑な操作を必要とせず、医療関係者の動きを寸断するという不便を解消し、使い勝手の良い観便を実現する生体情報測定装置を提供する。  【解決手段】  使用者が排泄を行うボウルと、前記ボウル内へ洗浄水を給止水する給水弁と、前記使用者を識別する個人認証手段と、前記使用者の排泄物を撮影して排泄物画像データを生成する排泄物撮影手段と、前記排泄物撮影手段の撮影開始タイミングを決定する検知手段と、前記排泄物画像データを外部に向けて送信する通信手段と、前記排泄物撮影手段を前記検知手段が決定した撮影開始タイミングから撮影を開始させ、前記給水弁が給水を開始する前に前記排泄物撮影手段の撮影を終了させるとともに、前記個人認証手段によって得られた個人認証データと、前記排泄物撮影手段によって撮影された画像データと、を統合して前記通信手段により送信する制御手段と、を有することを特徴とする。【選択図】  図３
2014031655.tif 000002
【特許請求の範囲】
【請求項１】
使用者が排泄を行うボウルと、
前記ボウル内の排泄物を建物の排水配管に排出するための洗浄水を給止水する給水弁と、
前記使用者を識別する個人認証手段と、
前記使用者の排泄物を撮影して排泄物画像データを生成する排泄物撮影手段と、
前記排泄物撮影手段の撮影開始タイミングを決定する検知手段と、
前記排泄物画像データを外部に向けて送信する通信手段と、
前記排泄物撮影手段を前記検知手段が決定した撮影開始タイミングから撮影を開始させ、前記給水弁が給水を開始する前に前記排泄物撮影手段の撮影を終了させるとともに、前記個人認証手段によって得られた個人認証データと、前記排泄物撮影手段によって撮影された画像データと、を統合して前記通信手段により送信する制御手段と、
を有することを特徴とする生体情報測定装置。
【請求項２】
前記検知手段は使用者の大便の排便を検知する大便検知手段であることを特徴とする請求項1に記載の生体情報測定装置。
【請求項３】
前記排泄物撮影手段は、前記検知手段が検知した時点から所定時間毎のインターバル撮影を行うことを特徴とする請求項１または請求項２のいずれか一項に記載の生体情報測定装置。
【請求項４】
前記制御手段は、最後の一枚を撮影した後に洗浄水を給水することを特徴とする請求項１乃至請求項３のいずれか一項に記載の生体情報測定装置。
【請求項５】
前記制御手段は撮影された排泄物画像データに、排泄物の標準色画像を添付して伝送することを特徴とする請求項１乃至請求項４のいずれか一項に記載の生体情報測定装置。
【発明の詳細な説明】
【技術分野】
【０００１】
本発明は、排泄物の画像情報を電子情報として撮影することのできる生体情報測定装置において、使用者と医療関係者が快適かつ効率的に排泄物観察ができる生体情報測定装置に関する。
【背景技術】
【０００２】
排泄物、特に大便の状態は消化器官の健全性を把握するために重要なものであり、観便という概念が成り立っている。その観便を実施する為に、ＣＣＤカメラを使用し、使用者自らが排泄物を観察すると共に、その性状から得られる情報を使用者に開示するものがある（例えば、特許文献１参照）。
【０００３】
また、各種撮影機能を操作して、モニタに排泄物画像を映し出して観便を可能としたものもある（例えば、特許文献２参照）。
しかしこのような場合も、記録した排泄物の観察を行うのは使用者自身である。排泄物は落下位置、大きさ、色、比重、性状など千差万別なものであることから、正確な判別をするには医学的な知見が必要である。よって、一般の使用者は、可能な限り医者に判断をしてもらうことが望ましい。
【０００４】
以上のように、排泄物を撮影して画像データとすることは考えられていたが、自らが撮影機器を操作し、自らが観便をせざるを得なかった。やはり、どうしても使用者には年配の層が多いこともあり、使用者に操作を任せて正確に撮影することは難しい。また、自宅では医療関係者に観便を依頼することはできない。たとえ病院内であっても、用便のタイミングで医者などの医療関係者が足を止め、観便のためにトイレへ出入りを繰り返すという非効率な動きを要求することになっていた。
【先行技術文献】
【特許文献】
【０００５】
【特許文献１】特許３２０４４００号公報
【特許文献２】特開２００６−０６１２９６号公報
【発明の概要】
【発明が解決しようとする課題】
【０００６】
本発明は、上記問題を解決するためになされたものであり、本発明の課題は、使用者が排泄の度に複雑な操作をしなければならず、その上、自宅では観便を依頼することができず、たとえ病院内であったとしても、医療関係者の動きを寸断してしまい、非効率的な動きを要求せざるを得なかったという不便を解消し、ストレス無く使い勝手の良い観便を実現する為の生体情報測定装置を提供することにある。
【課題を解決するための手段】
【０００７】
上記目的を達成するために本発明は、使用者が排泄を行うボウルと、前記ボウル内の排泄物を建物の排水配管に排出するための洗浄水を給止水する給水弁と、前記使用者を識別する個人認証手段と、前記使用者の排泄物を撮影して排泄物画像データを生成する排泄物撮影手段と、前記排泄物撮影手段の撮影開始タイミングを決定する検知手段と、前記排泄物画像データを外部に向けて送信する通信手段と、前記排泄物撮影手段を前記検知手段が決定した撮影開始タイミングから撮影を開始させ、前記給水弁が給水を開始する前に前記排泄物撮影手段の撮影を終了させるとともに、前記個人認証手段によって得られた個人認証データと、前記排泄物撮影手段によって撮影された画像データと、を統合して前記通信手段により送信する制御手段と、を有することを特徴としている。
【０００８】
これにより、使用者は複雑な操作を必要とすることなく、観便に必要なデータをとることができる。そのうえ自宅にいても観便の依頼が可能であり、また病院内の場合においても、医療関係者の手をわずらわせることなく観便に必要なデータを取ることができることから、医療関係者の動きが寸断されることもなく、効率的な観便の処理が行える。
【０００９】
本発明において好ましくは、前記検知手段は使用者の大便の排便を検知する大便検知手段であることを特徴とする。
【００１０】
これにより、大便の排泄を検知した時点から撮影を始めることで、大便を確実且つ効率的に撮影することができる。
【００１１】
本発明において望ましくは、前記排泄物撮影手段は、前記検知手段が検知した時点から所定時間毎のインターバル撮影を行うことを特徴とする。
【００１２】
これにより、画像管理装置に送られるデータは排泄物を撮影する信頼性が高くありながら、データ量を抑えることができる。
【００１３】
本発明において望ましくは、前記制御手段は、最後の一枚を撮影した後に洗浄水を給水することを特徴とする。
【００１４】
これにより、洗浄水の給水間際に排泄をした時でも、確実に排泄物の画像を撮影することができる。
【００１５】
本発明において望ましくは、前記制御手段は撮影された排泄物画像データに、排泄物の標準色画像を添付して伝送することを特徴とする。
【００１６】
これにより、比較対象を提示することにより、医療関係者の使用する映像表示装置の個体差に判断が左右されにくくなり、誤った判断を行うことを防止することができる。
【発明の効果】
【００１７】
本発明によれば、使用者は複雑な操作を必要とすることなく、観便に必要なデータをとることができる。そのうえ自宅にいても観便の依頼が可能であり、また病院内の場合においても、医療関係者の手をわずらわせることなく観便に必要なデータを取ることができることから、医療関係者の動きが寸断されることもなく、効率的な観便の処理が行える。
【図面の簡単な説明】
【００１８】
【図１】本発明の生体情報測定装置の第一実施例を示す斜視図である。
【図２】本発明の生体情報測定装置のシステムブロック図である。
【図３】本発明の生体情報測定装置のフローチャートである。
【発明を実施するための形態】
【００１９】
図１は、本発明の生体情報測定装置における第一実施例を示す斜視図である。図２は、本発明の生体情報測定装置におけるシステムブロック図である。図１と図２を使用して、以下生体情報測定装置１について説明する。
【００２０】
大便器２０は、使用者である患者が排泄するボウル２１と、排水配管内の臭気がトイレ内に拡散することを防止するために溜水を形成するトラップ２２と、ボウル２１の後部上方に設けられた洗浄水タンクの座部に設置されており、排泄物混じりの溜水を建物の排水配管に排出するために洗浄水を給止水する給水弁２３と、を有している。
【００２１】
加えて大便器２０には、使用者が便座に座ったことを検知する着座センサー７１と、使用者の大便の排便を検知する大便検知手段としてのガスセンサー８１と、排泄物を撮影する為の排泄物撮影手段であるカメラ５１が取り付けられている。また、大便器２０の上方には内部に制御手段としての制御部１０を有しており、制御部１０は処理装置であるＣＰＵ１１と、計時手段であるタイマ１２と、データを記憶しておくメモリ１４と、無線通信によりＬＡＮと通信する為の通信装置１３を備えている。
【００２２】
トイレの壁面には大便器２０を洗浄させるために給水弁の動作を指示する洗浄操作手段である洗浄ボタン６１と、使用者が持つバーコードタグを読み取って識別する個人認証手段としてのバーコードリーダ４１と、が設けられている。なお、洗浄ボタン６１の操作によらずとも、着座センサー７１が使用者の離座を検知した際にも、自動的に給水弁を開いて洗浄を開始する。
【００２３】
以上のように構成された生体情報測定装置１における制御部１０の動作を図３に示すフローチャートを参照して説明する。
【００２４】
使用者がトイレ室内に入り、腕に巻かれたバーコードタグを壁に設置されたバーコードリーダ４１に読ませると、バーコードリーダ４１は個人認証データを識別し、識別された個人認証データを制御部１０に送信する。それにより、制御部１０が個人認証データを受信する（Ｓ１０１）。
【００２５】
次に、便座後方に設けられた着座センサー７１が使用者の着座を検知すると、制御部１０に着座検知の信号を送信する。制御部はこの着座センサー７１から送られてくる着座信号を受信する（Ｓ１０２）と、次にガスセンサー８１を起動させる。着座検知信号を受信しない場合、制御部１０は着座検知信号を受信するまで待機する。
【００２６】
ガスセンサー８１が排泄物から発される便ガスを検知すると、制御部１０に大便検知の信号を送信する。制御部１０はこの大便検知の信号を受信する（Ｓ１０４）と、この受信をトリガとしてカメラ５１に排泄物撮影開始の信号を送る（Ｓ１０６）。また、大便検知の信号を受信しない場合、制御部１０は大便検知信号を受信するまで待機する。
【００２７】
制御部１０から送られてきたこの排泄物撮影開始の信号を受けたカメラ５１は溜水面に向けて排泄物の撮影をスタートする。カメラ５１の撮影方法は制御部１０が有するタイマ１２によって、例えば10秒毎に撮影する様なインターバル撮影に設定できる。便ガス検知の信号を受信した時点からインターバル撮影を開始することにより、排泄が行われた時点から確実に撮影しつつも、無駄な画像撮影を減らすことで、排泄物画像に使用されるデータ量を抑えることができる。
【００２８】
着座センサー７１は使用者が用を足し終えて便座から離れると、離座を検知して離座検知信号を制御部に送信する。制御部１０はこの離座検知信号を受信する（Ｓ１０８）と、カメラ５１に１０秒毎の撮影タイミングでなくても強制的に撮影を行う最後の一枚を撮影する様に指示を発信する（Ｓ１１２）。カメラ５１が制御部１０に指示されて撮影した最後の一枚のデータを制御部１０に送信し、制御部１０がそのデータを受信すると、制御部１０は撮影終了の信号をカメラ５１に発信し（Ｓ１１４）、カメラ５１は撮影を終了する。
【００２９】
あるいは、制御部１０が離座検知信号を受信しない状態で、洗浄操作手段による洗浄操作信号を受信する（Ｓ１１０ＹＥＳ）と、離座検知の信号を受信した時と同様に、カメラ５１に最後の一枚を撮影する様に指示を発信する（Ｓ１１２）。カメラ５１が制御部１０に指示されて撮影した最後の一枚のデータを制御部１０に送信し、制御部１０がそのデータを受信すると、制御部１０は撮影終了の信号をカメラ５１に発信し（Ｓ１１４）、カメラ５１は撮影を終了する。
【００３０】
制御部１０はカメラ５１の撮影を終了させると、大便器２０の給水弁を開く便器洗浄開始信号を発信する（Ｓ１２６）。給水弁が開かれた大便器２０は洗浄水によって、ボウルを洗浄する。
便器洗浄開始信号を発信することによって便器洗浄を開始させた後に、制御部１０はバーコードリーダ７１から受信した個人認証データと、カメラ５１から受信した排泄物画像データと、制御部１０のメモリ１４に保存されている排泄物の標準色画像と、を統合させ（Ｓ１１８）、一つの観便用ファイルを作成する。
【００３１】
制御手段１０は通信装置１３を使用して、観便用ファイルを家庭内LANや院内LANなどを経由させ、情報管理端末３０に向けて送信する（Ｓ１２０）。
【００３２】
また、本実施例では初期に個人認証手段による個人識別を行うようにしたが、データ統合するまでのタイミングで個人認証が行われるような制御にしてもよい。
【００３３】
また、制御手段を中心とした機器類の通信は清掃性の関係上は無線通信が望ましいが、有線通信であってもよい。
【００３４】
また、ガスセンサー８１を設置せずに、着座センサー７１による着座検知を撮影開始のトリガとしても使用データ量が増えてしまうもののコスト性の面では有効である。
【００３５】
以上説明した本発明によれば使用者が複雑な操作をする必要が無く排泄物の撮影ができることから、使用者は観便へのストレスが軽減される。また、生体情報測定装置がインターネットへの送信手段を持つことにより、自宅では医療関係者に観便を依頼できなかった使用者も、遠隔地の医療関係者に観便を依頼することができる。そして、病院内においては、医療関係者が観便のたびに作業を中断するという非効率な動きをする必要が無くなり、まとまったデータを好きな時間に確認するという効率的な動きができるようになる。
【符号の説明】
【００３６】
１・・・・生体情報測定装置
１０・・・制御手段
１１・・・ＣＰＵ
１２・・・タイマ
１３・・・通信装置
１４・・・メモリ
２０・・・大便器
２１・・・ボウル
２２・・・トラップ
３０・・・情報管理端末
３１・・・観便用ファイル
４１・・・バーコードリーダ
５１・・・カメラ
６１・・・洗浄ボタン
７１・・・着座センサー
８１・・・ガスセンサー
【図１】
2014031655.tif 000003
【図２】
2014031655.tif 000004
【図３】
2014031655.tif 000005